(57)【要約】  【課題】保持負荷の変動及び保持角度の変動を解決し、一定の切断力を得ることができる切断器具を提供する。  【解決手段】ホルダー１に、替え刃ホルダー６の移動方向に沿う空隙４を設け、替え刃ホルダー６に突起部９を突設して、この突起部９を空隙４に挿入することで、空隙４内を二つのばね収容部４Ａ、４Ｂに区画し、それぞれのばね収容部４Ａ、４Ｂ内にコイルばね１２、１３を収容して、これらのコイルばね１２、１３材の弾性力を突起部９に作用させて替え刃ホルダー６を中立位置に保持することで、復帰力保持手段を構成し、替え刃ホルダー６を浮き構造する。【選択図】  図１
2006068062.tif 000002
【特許請求の範囲】
【請求項１】
ホルダーに替え刃ホルダーを設け、この替え刃ホルダーが替え刃を保持していて、前記替え刃ホルダーが、その刃突出口より前記替え刃を所定量突出させることが可能な切断器具であって、
前記替え刃ホルダーは、前記ホルダーに対して替え刃突出方向に往復移動可能であり、前記替え刃ホルダーは、当該替え刃ホルダーを復帰力で中立位置に保持する復帰力保持手段により前記ホルダーに保持されていて、前記替え刃ホルダーが浮き構造にしてあることを特徴とする切断器具。
【請求項２】
前記ホルダーに、前記替え刃ホルダーの移動方向に沿う空隙を設け、前記替え刃ホルダーに突起部を突設して、この突起部を前記空隙に挿入することで、空隙内を二つのばね収容部に区画し、それぞれの前記ばね収容部内にばね部材を収容して、これらのばね部材の弾性力を前記突起部に作用させて前記替え刃ホルダーを中立位置に保持することで、前記復帰力保持手段を構成するようにしたことを特徴とする請求項１に記載の切断器具。
【請求項３】
前記ホルダーに、前記替え刃ホルダーの移動方向に沿う空隙を設け、前記替え刃ホルダーに突起部を突設して、この突起部を前記空隙に挿入することで、空隙内を二つの磁石収容部に区画し、それぞれの前記磁石収容部内に、互いに磁気反発する二つの永久磁石を収容して、これらの永久磁石の磁気反発力を前記突起部に作用させて前記替え刃ホルダーを中立位置に保持することで、前記復帰力保持手段を構成するようにしたことを特徴とする請求項１に記載の切断器具。
【請求項４】
前記替え刃ホルダーに、前記替え刃の切断力を調整する切断力調整機構を取付けたことを特徴とする請求項１乃至請求項３のいずれかの一に記載の切断器具。
【発明の詳細な説明】
【技術分野】
【０００１】
本発明はカッターナイフ及び替刃式ナイフ等手持ちナイフ（以下、カッターナイフ等という）に関するが、詳しくは任意の切断力を得るための切断器具である。
【背景技術】
【０００２】
カッターナイフ等に於いては刃先が固定式であったために、切断する強さは手の力加減のみにたよっており、一定の切断力を要求される場合、このカッターナイフ等を用いて被切断物を切断するには熟練を要する高度な技術が必要であり、これの失敗、例えば、必要以上の力が加わった場合、被切断物を載せた下地等を損傷することが多々あった。
【０００３】
この間題の解決の手段として、種々のカッターナイフが提案されており、以下に、従来の切断器具としてのカッターナイフを説明する。
【０００４】
従来の一般的なカッターナイフを図５に示す。このカッターナイフはホルダー４１を備えており、このホルダー４１は替え刃ホルダー４２を保持しており、この替え刃ホルダー４２にはスライダー４３が摺動可能に設けてあり、このスライダー４３にはスライダー固定ねじ４４が設けてある。そして、替え刃ホルダー４２内には替え刃４５が移動可能に挿入してあり、この替え刃４５はスライダー４３に固着してある。
【０００５】
そして、スライダー固定ねじ４４を弛めた状態で、このスライダー固定ねじ４４を前方に押すことでスライダー４３を介して替え刃４５を前方に移動させて、この替え刃４５を替え刃ホルダー４２の先端より突出させ、スライダー固定ねじ４４を締付けることでスライダー４３をホルダー４１に固定して替え刃４５の突出量を決めるようにしていた。
【０００６】
また、従来の切断器具としてのカッターナイフとしては、特許文献１に述べられているように、図６に示すカッターナイフがある。カッターナイフは、ホルダー５０の先部にソールガイド５１を設け、替え刃５２を保持した替え刃ホルダー５３を可動式にして、替え刃ホルダー５３の後端部を支点ねじ５４でホルダー５０に揺動可能に取付け、ホルダー５０に、ばね調整ねじ５５と、このばね調整ねじ５５によりばね力が調整されるばね部材５６とを設けて、このばね部材５６を替え刃ホルダー５３の先側に当接させた構成のものである。
【０００７】
この場合、ばね部材５６のばね力で替え刃ホルダー５３はソールガイド５１側に付勢されていて、替え刃５２が一定量ソールガイド５１より突出ている。そして、ソールガイド５１に沿わして使用すれば加わる力を一定させているが、必要以上の力が加わった場合は、替え刃ホルダー５３が回動してばね部材５６が縮み、替え刃５２が収納されて必要以外の物を切断しないようになる。
【０００８】
また、従来の切断器具としてのカッターナイフとしては、特許文献２に述べられているように、図７に示すカッターナイフがある。このカッターナイフは、ダイヤル６１の回転操作によりコマ６２及びスライダー６５を介して刃６３を前進させて、この刃６３をホルダー６０の前端出没口６４から所定量突出させるようにしたものであり、突出する刃６３の突出量を紙の枚数や厚みに応じて適宜に調整できるものである。
【特許文献１】実開平０７−９２６２号公報
【特許文献２】特開平１１−５７２３６号公報
【発明の開示】
【発明が解決しようとする課題】
【０００９】
カッターナイフ等で一定の切断力が要求される場合に於いて、理論上可能であっても失敗に至るのは、手作業であるが故に、保持負荷の変動及び保持角度の変動が発生し、これが要因となって、一定の切断力を持続的に得ることを困難にしているのである。
【００１０】
図５に示す従来のカッターナイフにあっては、保持負荷の変動はそのまま刃先に伝達されるので、一定の切断力の維持が困難であるという問題点があった。
【００１１】
また、図６に示す従来のカッターナイフにあっては、保持負荷が増大するとばね部材５６に伝達され、このばね部材５６の弾力も増大することになり、切断力もまた増大することになる。また、切断抵抗により刃先が収納される弾力では、切断自体が不可能であり、更にソールガイド５１での保持角度の維持も技術を要する。この故に、一定強度の切断力を持続的に得ることは非常に困難であるという問題点があった。
【００１２】
また、図７に示す従来のカッターナイフにあっては、刃の突出量で制御するのであるから基点が重要な意味を持ち、基点の大小により保持負荷の変動の影響が左右されるという問題点があった。
【００１３】
本発明は、上記の問題点を解決するためになされたものであって、その目的とするところは、上記した要因である保持負荷の変動及び保持角度の変動を解決し、一定の切断力を得ることができる切断器具を提供することである。
【課題を解決するための手段】
【００１４】
上記の目的を達成するために、本発明に係る切断器具は、ホルダーに替え刃ホルダーを設け、この替え刃ホルダーが替え刃を保持していて、替え刃ホルダーが、その刃突出口より替え刃を所定量突出させることが可能な切断器具であって、替え刃ホルダーは、ホルダーに対して替え刃突出方向に往復移動可能であり、替え刃ホルダーは、当該替え刃ホルダーを復帰力で中立位置に保持する復帰力保持手段によりホルダーに保持されていて、替え刃ホルダーが浮き構造にしてあることを特徴とする。
【００１５】
かかる構成により、替え刃ホルダーが浮き構造のために、ホルダーに加わる保持負荷の変動を吸収することができて、一定の切断力を持続的に得ることができる。すなわち、カッターナイフ等で一定の切断力を要求される場合において、手作業であるが故、保持負荷の変動及び保持角度の変動が発生し、これが要因となって、一定の切断力を持続的に得ることを困難にしているが、上記したように刃先に加わる保持負荷の変動を吸収することができて、一定の切断力を持続することができる。
【００１６】
また、本発明に係る切断器具は、上記した本発明に係る切断器具において、ホルダーに、替え刃ホルダーの移動方向に沿う空隙を設け、替え刃ホルダーに突起部を突設して、この突起部を空隙に挿入することで、空隙内を二つのばね収容部に区画し、それぞれのばね収容部内にばね部材を収容して、これらのばね部材の弾性力を突起部に作用させて替え刃ホルダーを中立位置に保持することで、復帰力保持手段を構成するようにしたことを特徴とする。
【００１７】
かかる構成により、二つのばね収容部に収容されたばね部材の弾性力を突起部に作用させて替え刃ホルダーを中立位置に保持することで復帰力保持手段を構成し、替え刃ホルダーを浮き構造することができる。このために、ホルダーに加わる保持負荷の変動を吸収することができて、一定の切断力を持続的に得ることができる。
【００１８】
また、本発明に係る切断器具は、上記した本発明に係る切断器具において、ホルダーに、替え刃ホルダーの移動方向に沿う空隙を設け、替え刃ホルダーに突起部を突設して、この突起部を空隙に挿入することで、空隙内を二つの磁石収容部に区画し、それぞれの磁石収容部内に、互いに磁気反発する二つの永久磁石を収容して、これらの永久磁石の磁気反発力を突起部に作用させて替え刃ホルダーを中立位置に保持することで、復帰力保持手段を構成するようにしたことを特徴とする。
【００１９】
かかる構成により、二つの磁石収容部内に、互いに磁気反発する二つの永久磁石を収容して、これらの永久磁石の磁気反発力を突起部に作用させて替え刃ホルダーを中立位置に保持することで復帰力保持手段を構成し、替え刃ホルダーを浮き構造することができる。このために、ホルダーに加わる保持負荷の変動を吸収することができて、一定の切断力を持続的に得ることができる
【００２０】
また、本発明に係る切断器具は、上記した本発明に係る切断器具において、替え刃ホルダーに、替え刃の切断力を調整する切断力調整機構を取付けたことを特徴とする。
【００２１】
かかる構成により、切断力調整機構により替え刃の切断力（突出力）を調整することができるし、ホルダーが浮き構造のために、ホルダーに加わる保持負荷の変動を吸収することができて、一定の切断力を持続的に得ることができる。すなわち、カッターナイフ等で一定の切断力を要求される場合において、手作業であるが故、保持負荷の変動及び保持角度の変動が発生し、これが要因となって、一定の切断力を持続的に得ることを困難にしているが、上記したように刃先に加わる保持負荷の変動を吸収することができ、しかも、替え刃の切断力（突出力）を調整することにより、保持角度の変動にも対応して得て一定の切断力を持続的に得ることができる。
【発明の効果】
【００２２】
本発明に係る切断器具によれば、替え刃ホルダーが浮き構造のために、ホルダーに加わる保持負荷の変動を吸収することができて、一定の切断力を持続的に得ることができる。
【００２３】
また、本発明に係る切断器具によれば、保持負荷の変動を吸収する浮き構造を構成し、且つ替え刃の突出力の調整を可能にすることにより、保持角度の変動にも対応して一定の切断力を持続的に得ることができる。
【発明を実施するための最良の形態】
【００２４】
本発明に係る切断器具は、ホルダー１に替え刃ホルダー６を設け、この替え刃ホルダー６が替え刃８を保持していて、替え刃ホルダー６が、その刃突出口６ａより替え刃８を所定量突出させることが可能であって、替え刃ホルダー６は、ホルダー１に対して替え刃突出方向に往復移動可能であり、替え刃ホルダー６は、当該替え刃ホルダー６を復帰力で中立位置に保持する復帰力保持手段によりホルダー１に保持されていて、替え刃ホルダー６が浮き構造にしてある。
【００２５】
本発明の実施の形態は、従来の一般的カッターナイフ等に近似して実施できるので、使用の自由度が極めて高く、且つ固定用ねじ（スライドストップネジ）の使用により従来の一般的カッターナイフ等と同様に使用可能なので高い汎用性を有する。
【実施例１】
【００２６】
以下、本発明に係る切断器具の実施例１を、図１乃至図３を参照して説明する。
【００２７】
本発明に係る切断器具（カッターナイフ）は、図１に示すようにホルダー１を備えており、このホルダー１は、その基部にグリップ２を有している。そして、ホルダー１の内部には、ホルダー１の軸線に平行にスライドガイド３が形成してあり、このスライドガイド３の先端部はホルダー１の先端部に開口し、スライドガイド３の後端部はグリップ２に達している。
【００２８】
そして、ホルダー１の内部には、スライドガイド３の図２において上辺縁側に位置させてホルダー１の軸線に沿う空隙４が形成してあり、また、ホルダー１の図２において上辺縁部には、空隙４に開口するスリット５が形成してある。
【００２９】
そして、スライドガイド３内には替え刃ホルダー６が摺動可能に挿入してある。この替え刃ホルダー６は、その内部に替え刃挿入溝部７を有していて、この替え刃挿入溝部７に替え刃８を移動可能な状態で挿入して、この替え刃８を保持している。また、替え刃ホルダー６の図２において上辺縁部６ａの中央部には突起部９が突設してあり、この突起部９の端面部にはねじ孔１０が設けてある。
【００３０】
そして、突起部９は空隙４内に移動可能に挿入してあり、ホルダー１のスリット５には、外方より固定用ねじ（スライドストップネジ）１１が挿入してあって、この固定用ねじ１１が突起部９のねじ孔１０に螺合してあり、これらで固定手段を構成している。
【００３１】
また、空隙４内は突起部９により前後二つのばね収容部４Ａ、４Ｂに区画されており、前方のばね収容部４Ａ内にはばね部材であるコイル状ばね１２が収容してあり、後方のばね収容部４Ｂ内にはコイル状ばね１３が収容してある。
【００３２】
そして、前方のコイル状ばね１２の前端部は前方のばね収容部４Ａの前端部に係止部材１４ａにより係止してあり、コイル状ばね１２の後端部は突起部９の前端部に係止部材１４ｂにより係止してある。また、後方のコイル状ばね１３の前端部は突起部９の後端部に係止部材１４ｃにより係止してあり、コイル状ばね１３の後端部は後方のばね収容部４Ａの後端部に係止部材１４ｄにより係止してある。
【００３３】
上記した構成では、固定用ねじ１１を弛めて、この固定用ねじ１１とホルダー１との間の摩擦抵抗を無くすことで、替え刃８を保持した替え刃ホルダー６はホルダー１に対して自由に移動できる状態であり、前、後方のコイル状ばね１２、１３のばね力の釣り合いにより替え刃ホルダー６は中立位置にある。なお、固定用ねじ１１を締付けて、この固定用ねじ１１とホルダー１との間に摩擦抵抗を生じさせることで替え刃ホルダー６をホルダー１に固定することができる。
【００３４】
上記のように構成された切断器具には図３に示す切断力調整機構Ｋが装着してある。この切断力調整機構Ｋはスライダー本体２０を備えており、このスライダー本体２０の後部には取付部２１が設けてある。また、スライダー本体２０内にはねじ棒２２が収容してあって、このねじ棒２２はスライダー本体２０の後壁部２０ｂに固着してあり、このねじ棒２２にはナット形状の強度調整用ダイヤル２３が螺合している。また、スライダー本体２０の前壁部２０ａには開口部２４が形成してあり、前壁部２０ａには、その側面からねじ孔２５が形成してあって、このねじ孔２５は開口部２４の周面部に開口している。そして、このねじ孔２５に固定用ねじ２６が螺合している。
【００３５】
図中２７は刃体支持部材であり、この刃体支持部材２７は、その先側に刃体取付部２８が形成してあり、中間部には連結部２９が形成してあり、また後側にはばね受け部３０が形成してあって、連結部２９が、スライダー本体２０の前壁部２０ａの開口部２４を貫通していて、ばね受け部３０がスライダー本体２０内に収容してある。そして、ばね受け部３０と強度調整用ダイヤル２３との間に突出力用ばね３１が介装してある。
【００３６】
そして、上記のように構成された切断力調整機構Ｋは、図１に示すように、そのスライダー本体２０の取付部２１で替え刃ホルダー６に止めねじ等の固定手段（図示せず）で固着してあり、また、刃体支持部材２の刃体取付部２８で替え刃８に連結してある。
【００３７】
次に、上記のように構成された切断器具の作動を説明する。
【００３８】
使用時に替え刃ホルダー６が保持した替え刃８が対象物に接している時、保持負荷の変動が前方に加わると、後方のコイルばね１３は圧縮され弾力が増大するが、前方のコイルばね１２は引張されて均衡を保つように作動する。この作動により保持負荷の変動は前、後方のコイルばね１２、１３の均衡する力により吸収されることになり、ホルダー１と替え刃ホルダー６は常に一定の力で接続されていることになる。
【００３９】
切断力調整機構Ｋにおいては、図１及び図３に示すように、強度調整用ダイヤル２３を指で回転させて、この強度調整用ダイヤル２３を前方にねじ送りすることで突出力用ばね３１を圧縮して刃体支持部材２７にばね圧を作用させ、この刃体支持部材２７に連結された替え刃８を替え刃ホルダー６の先端部から前方に突出させる。
【００４０】
また、固定使用時には、替え刃８を替え刃ホルダー６の先端部から前方に突出させた状態で、固定用ねじ２６を締付けることで、固定用ねじ２６で刃体支持部材２７をスライダー本体２０に固定して、替え刃８の突出量を決定する。
【００４１】
全体の作動として保持負荷が常に一定であるが故に、切断力調整機構Ｋによる調整が成立し、任意の切断力を得ることが可能になる。
【００４２】
上記したように、本発明の実施例１によれば、ホルダー１に、替え刃ホルダー６の移動方向に沿う空隙４を設け、替え刃ホルダー６に突起部９を突設して、この突起部９を空隙４に挿入することで、空隙４内を二つのばね収容部４Ａ、４Ｂに区画し、それぞれのばね収容部４Ａ、４Ｂ内にコイルばね１２、１３を収容して、これらのコイルばね１２、１３材の弾性力を突起部９に作用させて替え刃ホルダー６を中立位置に保持することで、復帰力保持手段を構成し、替え刃ホルダー６を浮き構造することができる。このために、替え刃８に加わる保持負荷の変動を吸収することができて、一定の切断力を持続的に得ることができる。
【００４３】
また、本発明の実施例１によれば、ホルダー１に、空隙４に開口するスリット５を設けると共に、突起部９のねじ孔１０を設け、スリット５に外方より固定用ねじ１１を挿入して、この固定用ねじ１１をねじ孔１０に螺合して替え刃ホルダー６の固定手段を構成するようにしたことにより、固定用ねじ１１を弛めて、この固定用ねじ１１とホルダー１との間の摩擦抵抗を無くすことで、替え刃８を保持した替え刃ホルダー６はホルダー１に対して自由に移動できる状態であり、二つのコイルばね１２、１３のばね力の釣り合いにより替え刃ホルダー６は中立位置にあるが、固定用ねじ１１を締付けて、この固定用ねじ１１とホルダー１との間に摩擦抵抗を生じさせることで替え刃ホルダー６をホルダー１に固定することができる。
【００４４】
また、本発明の実施例１によれば、替え刃ホルダー６に、替え刃４の切断力を調整する切断力調整機構Ｋを取付けたことにより、切断力調整機構Ｋにより替え刃８の切断力（突出力）を調整することができるし、ホルダー１が浮き構造のために、替え刃８に加わる保持負荷の変動を吸収することができて、一定の切断力を持続的に得ることができる。すなわち、カッターナイフ等で一定の切断力を要求される場合において、手作業であるが故、保持負荷の変動及び保持角度の変動が発生し、これが要因となって、一定の切断力を持続的に得ることを困難にしているが、上記したように替え刃８に加わる保持負荷の変動を吸収することができ、しかも、替え刃の切断力（突出力）を調整することにより、保持角度の変動にも対応して得て一定の切断力を持続的に得ることができる。
【００４５】
なお、上記した本発明の実施例１では、復帰力保持手段に前後二つのコイルばね１２、１３を用いたが、例えば、コイルばねは二本分の長さを使用し、その中央で突起部９に固定してもよいし、また、コイルばね１２、１３を前後同一条件となるよう弾力調整装置を用いてもよい。また、コイルばね１２、１３に限らず、復元力を有する他の弾性体で構成するようにしてもよい。
【実施例２】
【００４６】
以下、本発明に係る切断器具の実施例２を、図４を参照して説明する。
【００４７】
本発明に係る切断器具（カッターナイフ）は、図４に示すように、ホルダー１に、替え刃ホルダー６の移動方向に沿う空隙４を設け、替え刃ホルダー６に突設した突起部９を空隙４に挿入することで、空隙４内を二つの磁石収容部４Ａ−１、４Ｂ−１に区画し、それぞれの磁石収容部４Ａ−１、４Ｂ−１内に、互いに磁気反発する二つの永久磁石３２、３３を収容して、これらの永久磁石３２、３３の磁気反発力を突起部９に作用させて替え刃ホルダー６を中立位置に保持することで復帰力保持手段を構成し、この復帰力保持手段で替え刃ホルダー６を浮き構造するようにしたものであり、他の構成は、上記した本発明の実施例１の構成と同じであるために、同じ符号を付して説明を省略する。
【００４８】
したがって、使用時に替え刃ホルダー６が保持した替え刃８が対象物に接している時、保持負荷の変動が前方に加わると、後方の一対の永久磁石３２、３３間は縮まり磁気反発力が増大するが、前方の一対の永久磁石３２、３３間は拡がって磁気反発力は減少するが、保持負荷の変動が解消すると、後方の一対の永久磁石３２、３３間の磁気反発力により替え刃ホルダー６が、その中立状態になるように均衡を保つように作動する。
【００４９】
この作動により保持負荷の変動は、前、後方のそれぞれ一対の永久磁石３２、３３間の均衡する磁気反発力により吸収されることになり、ホルダー１と替え刃ホルダー６は常に一定の力で接続されていることになる。
【００５０】
切断力調整機構Ｋにおいては、図１及び図３に示すように、強度調整用ダイヤル２３を指で回転させて、この強度調整用ダイヤル２３を前方にねじ送りすることで突出力用ばね３１を圧縮して刃体支持部材２７にばね圧を作用させ、この刃体支持部材２７に連結された替え刃８を替え刃ホルダー６の先端部から前方に突出させて所定の切断力を得る。
【００５１】
また、固定使用時には、替え刃８を替え刃ホルダー６の先端部から前方に突出させた状態で、固定用ねじ２６を締付けることで、固定用ねじ２６で刃体支持部材２７をスライダー本体２０に固定して、替え刃８の突出量を決定する。
【００５２】
全体の作動として保持負荷が常に一定であるが故に、切断力調整機構Ｋによる調整が成立し、任意の切断力を得ることが可能になる。
【００５３】
上記したように、本発明の実施例２によれば、二つの磁石収容部４Ａ−１４、Ｂ−１に内に、互いに磁気反発する二つの永久磁石３２、３３を収容して、これらの永久磁石３２、３３の磁気反発力を突起部９に作用させて替え刃ホルダー６を中立位置に保持することで復帰力保持手段を構成し、替え刃ホルダー６を浮き構造することができる。このために、替え刃８に加わる保持負荷の変動を吸収することができて、一定の切断力を持続的に得ることができる。
【００５４】
なお、本発明に係る切断器具は、保持負荷の変動を吸収する浮き構造を構成すれば良いので様々な変形・応用が考えられる。さらに他の形式、例えば、ホルダーに浮き構造を作成しアタッチメント等を用いて小型カッターナイフに利用したり、替刃式ナイフに使用したり、浮き構造をスライダーに作成したり様々な変形応用が可能である。また、突出力の作成も小型カッター全体を突出装置にしたり等々、自由な変形・応用が可能である。
【産業上の利用可能性】
【００５５】
本発明に係る切断器具によれば、替え刃ホルダーが浮き構造のために、ホルダーに加わる保持負荷の変動を吸収することができて、且つ替え刃の突出力の調整を可能にすることにより、保持角度の変動にも対応して一定の切断力を持続的に得ることができるという効果を有しており、カッターナイフ及び替刃式ナイフ等手持ちナイフ等の任意の切断力を得るための切断器具等に有用である。
【図面の簡単な説明】
【００５６】
【図１】本発明に係る切断器具の実施例１の構成説明図である。
【図２】同切断器具において切断力調整機構を除いた状態での切断器具本体の構成説明図である。
【図３】切断力調整機構の構成説明図である。
【図４】本発明に係る切断器具の実施例２の構成説明図である。
【図５】従来の切断器具としてカッターナイフの平面図である。
【図６】従来の他の切断器具としてカッターナイフの構成説明図である。
【図７】従来の別の他の切断器具としてカッターナイフの構成説明図である。
【符号の説明】
【００５７】
１      ホルダー
２      グリップ
３      スライドガイド
４      空隙
４Ａ    ばね収容部
４Ｂ    ばね収容部
４Ａ−１磁石収容部
４Ｂ−１磁石収容部
５      スリット
６      替え刃ホルダー
６ａ    刃突出口
７      刃挿入溝部
８      替え刃
９      突起部
１０    ねじ孔
１１    固定用ねじ（スライドストップネジ）（固定手段）
１２    コイル状ばね（ばね部材）（復帰力保持手段）
１３    コイル状ばね（ばね部材）（復帰力保持手段）
２０    スライダー本体
２１    取付部
２２    ねじ棒
２３    強度調整用ダイヤル
２４    開口部
２５    ねじ孔
２６    固定用ねじ
２７    刃体支持部材
２８    刃体取付部
３０    ばね受け部
３１    突出力用ばね
３２    永久磁石（復帰力保持手段）
３３    永久磁石（復帰力保持手段）
Ｋ      切断力調整機構
【図１】
2006068062.tif 000003
【図２】
2006068062.tif 000004
【図３】
2006068062.tif 000005
【図４】
2006068062.tif 000006
【図５】
2006068062.tif 000007
【図６】
2006068062.tif 000008
【図７】
2006068062.tif 000009